【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
ＴＤＤ（Time  Division  Duplex）キャリアのアップリンク／ダウンリンクコンフィギュレーションを動的に設定する制御部、
を備え、
前記制御部は、前記設定したアップリンク／ダウンリンクコンフィギュレーション及び前記設定した前記アップリンク／ダウンリンクコンフィギュレーションで利用可能な装置間通信用の無線リソース情報を端末装置に通知し、
前記無線リソース情報は、前記アップリンク／ダウンリンクコンフィギュレーションの少なくとも１つのアップリンクサブフレームを含む無線フレームを指定した無線フレーム情報と、前記装置間通信で用いられる無線リソースの周期を指定したリソース周期情報とを含む、
装置。
【請求項２】
前記制御部は、複数のコンフィギュレーションのうちの１つのコンフィギュレーションから、当該複数のコンフィギュレーションのうちの別のコンフィギュレーションに、前記アップリンク／ダウンリンクコンフィギュレーションを変更する、請求項１に記載の装置。
【請求項３】
前記制御部は、前記アップリンク／ダウンリンクコンフィギュレーションの変更に応じて、前記別のコンフィギュレーションで利用可能な装置間通信用の無線リソース情報を端末装置に通知し、
前記別のコンフィギュレーションで利用可能な前記無線リソース情報は、前記別のコンフィギュレーションの少なくとも１つのアップリンクサブフレームを含む無線フレームを指定した無線フレーム情報と、前記装置間通信で用いられる無線リソースの周期を指定したリソース周期情報とを含む、
請求項２に記載の装置。
【請求項４】
前記制御部は、前記複数のコンフィギュレーションの各々で利用可能な装置間通信用の無線リソース情報を、端末装置に通知する、請求項２に記載の装置。
【請求項５】
前記複数のコンフィギュレーションの各々で利用可能な前記無線リソースは、コンフィギュレーションごとの装置間通信用の無線リソース情報を含み、
コンフィギュレーションごとの前記無線リソース情報は、コンフィギュレーションの少なくとも１つのアップリンクサブフレームを含む無線フレームを指定した無線フレーム情報と、前記装置間通信で用いられる無線リソースの周期を指定したリソース周期情報とを含む、
請求項４に記載の装置。
【請求項６】
前記複数のコンフィギュレーションの各々で利用可能な前記無線リソース情報は、前記複数のコンフィギュレーションの間で共通する少なくとも１つのアップリンクサブフレームを含む無線フレームを指定した無線フレーム情報と、前記装置間通信で用いられる無線リソースの周期を指定したリソース周期情報を含む、請求項４に記載の装置。
【請求項７】
前記少なくとも１つのアップリンクサブフレームに含まれるアップリンクサブフレームの数は、前記アップリンク／ダウンリンクコンフィギュレーションのアップリンクサブフレームの数によって異なる、請求項１に記載の装置。
【請求項８】
前記制御部は、前記アップリンク／ダウンリンクコンフィギュレーションのアップリンクサブフレームの数が所定数以上である場合に、前記無線リソースを端末装置に通知する、請求項１に記載の装置。
【請求項９】
前記アップリンク／ダウンリンクコンフィギュレーションは、所定の場合に３以上のアップリンクサブフレームを含むコンフィギュレーションである、請求項１に記載の装置。
【請求項１０】
前記少なくとも１つのアップリンクサブフレームの各々は、前記アップリンク／ダウンリンクコンフィギュレーションの２つ以上の連続するアップリンクサブフレームに含まれ、
前記２つ以上の連続するアップリンクサブフレームのうちの１つ以上のアップリンクサブフレームは、前記少なくとも１つのアップリンクサブフレームに含まれない、
請求項１に記載の装置。
【請求項１１】
前記制御部は、前記アップリンク／ダウンリンクコンフィギュレーションが３つ以上の連続するアップリンクサブフレームを含む場合に、前記無線リソースを端末装置に通知する、請求項１０に記載の装置。
【請求項１２】
前記アップリンク／ダウンリンクコンフィギュレーションは、３つ以上の連続するアップリンクサブフレームを含むンフィギュレーションである、請求項１０に記載の装置。
【請求項１３】
前記制御部は、前記無線リソースを示すシステム情報の報知により、前記無線リソース情報を端末装置に通知する、請求項１に記載の装置。
【請求項１４】
前記制御部は、前記アップリンク／ダウンリンクコンフィギュレーションを端末装置に通知する、請求項１に記載の装置。
【請求項１５】
プロセッサにより、
ＴＤＤキャリアのアップリンク／ダウンリンクコンフィギュレーションを動的に設定することと、
前記設定したアップリンク／ダウンリンクコンフィギュレーション及び前記設定した前記アップリンク／ダウンリンクコンフィギュレーションで利用可能な装置間通信用の無線リソース情報を端末装置に通知することと、
を含み、
前記無線リソース情報は、前記アップリンク／ダウンリンクコンフィギュレーションの少なくとも１つのアップリンクサブフレームを含む無線フレームを指定した無線フレーム情報と、前記装置間通信で用いられる無線リソースの周期を指定したリソース周期情報とを含む、
方法。
【請求項１６】
基地局により動的に変更されるＴＤＤキャリアのアップリンク／ダウンリンクコンフィギュレーションで利用可能な装置間通信用の無線リソースを示す情報を取得する取得部と、
前記無線リソースを使用した装置間通信を制御する制御部と、
を備え、
前記無線リソースを示す情報は、前記アップリンク／ダウンリンクコンフィギュレーションの少なくとも１つのアップリンクサブフレームを含む無線フレームを指定した無線フレーム情報と、前記装置間通信で用いられる無線リソースの周期を指定したリソース周期情報とを含む、
装置。
【請求項１７】
前記アップリンク／ダウンリンクコンフィギュレーションは、複数のコンフィギュレーションのうちの１つのコンフィギュレーションから、前記複数のコンフィギュレーションのうちの別のコンフィギュレーションに変更されるコンフィギュレーションであり、
前記取得部は、前記アップリンク／ダウンリンクコンフィギュレーションに基づいて、前記複数のコンフィギュレーションの各々で利用可能な装置間通信用の無線リソースのうちの、前記アップリンク／ダウンリンクコンフィギュレーションで利用可能な前記無線リソースを示す情報を取得する、
請求項１６に記載の装置。
【請求項１８】
基地局により動的に変更されるＴＤＤキャリアのアップリンク／ダウンリンクコンフィギュレーションで利用可能な装置間通信用の無線リソースを示す情報を取得することと、
プロセッサにより、前記無線リソースを使用した装置間通信を制御することと、
を含み、
前記無線リソースを示す情報は、前記アップリンク／ダウンリンクコンフィギュレーションの少なくとも１つのアップリンクサブフレームの無線リソースを含む無線フレームを指定した無線フレーム情報と、前記装置間通信で用いられる無線リソースの周期を指定したリソース周期情報とを含む、
方法。
【手続補正２】
【補正対象書類名】明細書
【補正対象項目名】００５９
【補正方法】変更
【補正の内容】
【００５９】
とりわけ本開示の実施形態では、基地局１００は、ＴＤＤで無線通信を行う。具体的には、例えば、基地局１００は、ＴＤＤキャリアを使用して、ダウンリンクサブフレームでダウンリンク信号を送信し、アップリンクサブフレームでアップリンク信号を受信する。上記ＴＤＤキャリアは、ＴＤＤでの無線通信のためのキャリアであり、例えば、コンポーネントキャリアである。
【手続補正３】
【補正対象書類名】明細書
【補正対象項目名】００８１
【補正方法】変更
【補正の内容】
【００８１】
例えば、上記複数のコンフィギュレーションは、図８に示される６つのコンフィギュレーション（コンフィギュレーション０〜６）である。即ち、基地局１００（制御部１５３）は、７つのコンフィギュレーションのうちの１つのコンフィギュレーションから別のコンフィギュレーションに、上記ＵＬ／ＤＬコンフィギュレーションを変更する。
【手続補正４】
【補正対象書類名】明細書
【補正対象項目名】０１００
【補正方法】変更
【補正の内容】
【０１００】
図１２は、Ｄ２Ｄリソースの第１の例を説明するための説明図である。図１２を参照すると、コンフィギュレーション０〜６が示されている。この例では、コンフィギュレーションごとに、１つのアップリンクサブフレームがＤ２Ｄリソースとして用意されている。例えば、コンフィギュレーション０、１、３、４、６の各々に適したＤ２Ｄリソースは、サブフレーム番号が３であるアップリンクサブフレームの無線リソースである。また、例えば、コンフィギュレーション２、５の各々に適したＤ２Ｄリソースは、サブフレーム番号が２であるアップリンクサブフレームの無線リソースである。
【手続補正５】
【補正対象書類名】明細書
【補正対象項目名】０１０１
【補正方法】変更
【補正の内容】
【０１０１】
図１３は、ＵＬ／ＤＬコンフィギュレーションの変更に応じたＤ２Ｄリソースの通知の例を説明するための説明図である。図１３を参照すると、例えば、上記ＴＤＤキャリアの上記ＵＬ／ＤＬコンフィギュレーションが、コンフィギュレーション０からコンフィギュレーション２に変更される。コンフィギュレーション０に適したＤ２Ｄリソースは、サブフレーム番号が３であるサブフレームの無線リソースであり、コンフィギュレーション２に適したＤ２Ｄリソースは、サブフレーム番号が２であるサブフレームの無線リソースである。この場合に、基地局１００（制御部１５３）は、上記ＵＬ／ＤＬコンフィギュレーションの変更に応じて、サブフレーム番号が２であるアップリンクサブフレームの無線リソースを、Ｄ２Ｄリソースとして端末装置に通知する。その結果、端末装置２００は、上記ＵＬ／ＤＬコンフィギュレーションの変更後には、サブフレーム番号が３であるサブフレームではＤ２Ｄ通信を行わず、サブフレーム番号が２であるサブフレームでＤ２Ｄ通信を行う。
【手続補正６】
【補正対象書類名】明細書
【補正対象項目名】０１３４
【補正方法】変更
【補正の内容】
【０１３４】
−コンフィギュレーションの限定
あるいは、上記ＴＤＤキャリアの上記ＵＬ／ＤＬコンフィギュレーションは、２つ以上の連続するアップリンクサブフレームを含むコンフィギュレーションであってもよい。
【手続補正７】
【補正対象書類名】明細書
【補正対象項目名】０１５３
【補正方法】変更
【補正の内容】
【０１５３】
図１８は、コンフィギュレーションごとの周期の第１の例を説明するための説明図である。図１８を参照すると、７つのコンフィギュレーション（コンフィギュレーション０〜６）の各々の周期及びサブフレームが示されている。この例では、図１２に示される例と同様に、各コンフィギュレーション適したＤ２Ｄリソースは、１つのアップリンクサブフレームの無線リソースである。例えば、コンフィギュレーション０、１、６は、４つ以上のアップリンクサブフレームを含み、コンフィギュレーション０、１、６に適したＤ２Ｄリソースの周期は、１００ｍｓ（即ち、１０無線フレーム）である。コンフィギュレーション２、３、４は、２つ又は３つのアップリンクサブフレームを含み、コンフィギュレーション０、１、６に適したＤ２Ｄリソースの周期は、２００ｍｓ（即ち、２０無線フレーム）である。コンフィギュレーション５は、１つのアップリンクサブフレームを含み、コンフィギュレーション５に適したＤ２Ｄリソースの周期は、４００ｍｓ（即ち、４０無線フレーム）である。
【手続補正８】
【補正対象書類名】明細書
【補正対象項目名】０１５７
【補正方法】変更
【補正の内容】
【０１５７】
図１９は、コンフィギュレーションごとの周期の第２の例を説明するための説明図である。図１９を参照すると、７つのコンフィギュレーション（コンフィギュレーション０〜６）の各々の周期及びサブフレームが示されている。例えば、コンフィギュレーション０、１、６は、４つ以上のアップリンクサブフレームを含み、コンフィギュレーション０、１、６の各々に適したＤ２Ｄリソースは、２つのアップリンクサブフレームの無線リソースであり、４００ｍｓ（即ち、４０無線フレーム）の周期を有する。また、コンフィギュレーション２、３、４、５は、３つ以下のアップリンクサブフレームを含み、コンフィギュレーション２、３、４、５の各々に適したＤ２Ｄリソースは、１つのアップリンクサブフレームの無線リソースであり、２００ｍｓ（即ち、２０無線フレーム）の周期を有する。
【手続補正９】
【補正対象書類名】図面
【補正対象項目名】図１０
【補正方法】変更
【補正の内容】
【図１０】
2016032204.tif 000001
【手続補正１０】
【補正対象書類名】図面
【補正対象項目名】図１１
【補正方法】変更
【補正の内容】
【図１１】
2016032204.tif 000002